(57)【特許請求の範囲】
【請求項１】
複数の操作機能項目が表示される表示部の少なくとも前記複数の操作機能項目の選択及び前記表示部に表示される画面のスクロールを含む操作入力をタッチ操作により行うタッチパネルと、
前記タッチパネル上のタッチ操作位置を検出する検出手段と、
少なくとも前記複数の操作機能項目の選択及び前記表示部に表示される画面のスクロールを含む操作入力を行うジョイスティックと、
前記検出手段により検出されたタッチ操作位置を操作入力位置として決定すると共に、前記ジョイスティックの操作入力を決定する決定手段と、
を備え、
前記ジョイスティックが前記タッチパネルより突出するように配置すると共に、前記タッチパネル又は前記ジョイスティックの何れの押圧操作に対しても前記決定手段による前記決定が行われる位置に前記決定手段を配置することを特徴とする操作入力装置。
【請求項２】
前記検出手段が、投光素子及び受光素子を備えた光センサユニットからなり、該検出手段により前記ジョイスティックの操作位置の検出を行うことを特徴とする請求項１に記載の操作入力装置。
【請求項３】
前記検出手段が、感圧式のセンサからなると共に、前記ジョイスティックの操作に応じて前記検出手段を押圧する部材を更に設け、前記検出手段により前記ジョイスティックの操作位置の検出を行うことを特徴とする請求項１に記載の操作入力装置。
【発明の詳細な説明】
【０００１】
【発明の属する技術分野】
本発明は、操作入力装置にかかり、特に、自動車に搭載するナビゲーションシステム等のリモートコントローラ等に用いられる操作入力装置に関する。
【０００２】
【従来の技術】
従来より、例えば、自動車に搭載されるナビゲーションシステム等のように、タッチ操作機能付きのディスプレイ装置を備えたものが増えている。この種のディスプレイ装置の一例としては、表示画面に対するタッチ位置を光センサにより検出するように構成されている。
【０００３】
具体的には、表示画面の縦方向及び横方向に対応して複数の並列光軸を形成するように投光素子と受光素子とを配置し、表示画面を指でタッチすることにより投光素子から受光素子に至る光軸が遮断されることに基づいてタッチ範囲の中心位置を検出してその座標データを出力するように構成されている。
【０００４】
また、タッチ操作入力装置としてディスプレイ部とタッチ操作部を分けて、タッチ操作部を操作し易い場所に配置するものもあり、このタッチ操作入力装置の構成は、上述のような構成となっている。このようなタッチ操作入力装置は、タッチ操作部を車両において操作し易い場所に配置したり、手で持って操作することにより、利便的な操作を提供することができる。
【０００５】
このようなタッチ操作入力装置の構成としては、タッチ操作入力装置のタッチパネルを操作しやすい位置に配置し、該タッチパネルを操作することによって、ディスプレイに表示された表示スイッチ等を選択できる構成とされている。
【０００６】
また、ディスプレイに表示された表示スイッチの選択をジョイスティックを用いて行う操作入力装置もある。この場合には、１つのノブを倒す操作を行うことにより操作するので、ディスプレイに表示された画面のスクロールなどを簡単に行うことが可能である。
【０００７】
【発明が解決しようとする課題】
しかしながら、上述のタッチ操作入力装置では、ディスプレイに表示された表示スイッチをダイレクトに選択・操作することができるが、指の操作範囲が広く地図画面や操作項目リスト等におけるスクロール操作では、指位置を変えなければならので、操作性が悪い、という問題がある。
【０００８】
また、ジョイスティックを用いた操作入力装置では、上述したようにディスプレイに表示された画面のスクロールを行う場合には、簡単な操作入力により行うことができるが、ディスプレイに表示された複数の表示スイッチの中から所望の表示スイッチを選択する場合には、ジョイスティックを倒す操作を繰り返し行うことによって、所望の表示スイッチを選択するので、操作回数が増える、という問題がある。
【０００９】
本発明は、上記問題を解決すべく成されたもので、タッチ操作入力とジョイスティック操作入力の双方の欠点を補い、且つ簡略した構造の操作入力装置の提供を目的とする。
【００１０】
【課題を解決するための手段】
上記目的を達成するために請求項１に記載の発明は、複数の操作機能項目が表示される表示部の少なくとも前記複数の操作機能項目の選択及び前記表示部に表示される画面のスクロールを含む操作入力をタッチ操作により行うタッチパネルと、前記タッチパネル上のタッチ操作位置を検出する検出手段と、少なくとも前記複数の操作機能項目の選択及び前記表示部に表示される画面のスクロールを含む操作入力を行うジョイスティックと、前記検出手段により検出されたタッチ操作位置を操作入力位置として決定すると共に、前記ジョイスティックの操作入力を決定する決定手段と、を備え、前記ジョイスティックが前記タッチパネルより突出するように配置すると共に、前記タッチパネル又は前記ジョイスティックの何れの押圧操作に対しても前記決定手段による前記決定が行われる位置に前記決定手段を配置することを特徴としている。
【００１１】
請求項１に記載の発明によれば、タッチパネル上をタッチ操作することにより、検出手段によりタッチ操作位置が検出され、タッチ操作入力を行うことができる。また、ジョイスティックによっても操作入力を行うことができる。
【００１２】
決定手段は、タッチ操作入力又はジョイスティックの操作入力による操作入力を決定するが、ここで、タッチパネルより突出するようにジョイスティックを配置すると共に、タッチパネル又はジョイスティックの何れの押圧操作に対しても決定手段による決定が行われる位置に決定手段を配置することにより、タッチパネルの操作入力及びジョイスティックの操作入力のそれぞれに別々の決定手段を設ける必要がなくなり、簡略した構造操作入力装置とすることができる。
【００１３】
例えば、タッチパネルを押圧操作することにより、同時にジョイスティックが押圧されて、決定手段としてのスイッチがオンされるように構成したり、逆に、ジョイスティックを押圧操作することにより、同時に入力パッドが押圧されて、決定手段としてのスイッチがオンされるように構成することによって、１つの決定手段でタッチ操作及びジョイスティック操作のそれぞれの操作入力を決定することができる。
【００１４】
また、タッチ操作入力とジョイスティックによる操作入力の両方を備えているので、操作入力を行う用途に応じて使い分けを行うことができる。
【００１５】
従って、タッチ操作入力とジョイスティック操作入力の双方の欠点を補い、且つ簡略した構造の操作入力装置を提供することができる。
【００１６】
請求項２に記載の発明は、請求項１に記載の発明において、前記検出手段が、投光素子及び受光素子を備えた光センサユニットからなり、該検出手段により前記ジョイスティックの操作位置の検出を行うことを特徴としている。
【００１７】
請求項２に記載の発明によれば、請求項１に記載の発明において、タッチ操作位置の検出を光センサユニットで行い、更に光センサユニットを用いてジョイスティックの操作位置（操作方向）の検出を行うことにより、ジョイスティックの操作位置を検出する手段が不要となる。これにより、操作入力装置を簡略化することができる。
【００１８】
請求項３に記載の発明は、請求項１に記載の発明において、前記検出手段が、感圧式のセンサからなると共に、前記ジョイスティックの操作に応じて前記検出手段を押圧する部材を更に設け、前記検出手段により前記ジョイスティックの操作位置（方向）の検出を行うことを特徴としている。
【００１９】
請求項３に記載の発明によれば、請求項１に記載の発明において、タッチ操作位置の検出を感圧式のセンサで行い、更にジョイスティックの操作に応じてタッチ操作位置の検出を行う検出手段を押圧する部材を設けることにより、ジョイスティックを操作することにより、操作に応じて感圧式のセンサを押圧する。従って、感圧式のセンサの検出信号に基づいてジョイスティックの操作位置（方向）を検出することができる。
【００２０】
【発明の実施の形態】
以下、図面を参照して本発明の実施の形態の一例を詳細に説明する。本実施の形態は車両用のディスプレイシステムに本発明を適用したものである。
【００２１】
図１は車両用のディスプレイシステム１０の全体構成を示している。この車両用のディスプレイシステム１０は、エアコン、オーディオ、ナビゲーションシステム等の自動車に付帯する付帯装備の操作を行うものであり、ディスプレイ１２及びタッチ操作入力装置１４（以下、タッチトレーサと称す）とによって主に構成されている。
【００２２】
ディスプレイ１２は、運転者及び同乗者が容易に視認することができるインストルメントパネルの中央部に配置され、エアコン、オーディオの操作状況やナビゲーションシステムの案内地図画面等を表示するものであり、タッチトレーサ１４からの操作入力情報に応じて所定の画面を表示するようになっている。
【００２３】
タッチトレーサ１４は、運転者が容易に操作することができる場所、例えば、運転席ドアの肘掛部やセンターコンソール等に配置することができ、操作入力を行うことによって上述のエアコン、オーディオ、ナビゲーションンシステム等の付帯装備の操作を行うものである。なお、タッチトレーサ１４は、手に持って操作することも可能である。
【００２４】
タッチトレーサ１４は、図２のタッチトレーサ正面図に示すように、タッチトレーサ１４の中央部にタッチ入力操作を行う操作面としての入力パッド１６が配置されており、該入力パッド１６の中央部に操作入力を行う棒状のジョイスティック２０が配置されている。また、入力パッド１６の周囲の位置には、各種もモード等を選択する選択ボタン１８が配置されている。こららの選択ボタンとしては、現在地ボタン１８Ａ、戻るボタン１８Ｂ、詳細ボタン１８Ｃ、及び広域ボタン１８Ｄ、ＮＶ／ＴＶ（ナビゲーション、テレビ切換）ボタン１８Ｅ、及び電源ボタン１８Ｆが設けられている。
【００２５】
続いて、図３及び図４を参照してタッチトレーサ１４の内部構造について説明する。図３は、タッチトトレーサ１４の一部を破断にして示す正面図であり、図４はタッチトレーサ１４の一部を破断にして示す横断面図である。
【００２６】
タッチトレーサ１４は、外枠が２分割されたアウターケーシング２６Ａ、２６Ｂによって構成されており、タッチトレーサ１４の底面となるアウターケーシング２６Ｂにプリント配線基板２８が配置され、その上方にプリント配線基板３０が配置されている。プリント配線基板２８には、圧縮コイルバネ３２が配設されており、圧縮コイルバネ３２は、ジョイスティックスイッチ３４を中心に挿入するように配設され、入力パッド１６を図４矢印Ｍ方向に向かって付勢している。
【００２７】
ジョイスティックスイッチ３４には、上述したジョイスティック２０が設けられており、ジョイスティック２０の操作方向に応じた操作信号が出力されるように構成されていると共に、ジョイスティック２０の押圧操作によって、ジョイスティックスイッチ３４より操作決定信号が出力される。
【００２８】
また、ジョイスティック２０及びジョイスティックスイッチ３４は、図４に示すように、入力パッド１６を搭載するように配置されており、入力パッド１６の押圧操作によってもジョイスティック２０が押圧されてジョイスティックスイッチ３４が押圧されて操作決定信号が出力される。すなわち、入力パッド１６でタッチ操作された位置に対してタッチ操作位置を決定するためのスイッチ、及びジョイスティック２０の操作位置を決定するためのスイッチとして機能する。
【００２９】
また、圧縮コイルバネ３２の付勢に対して、アウターケーシング２６Ａには入力パッド１６の外周を抑止するために断面が略Ｔ字形状に成形された部材２７が設けられており、この該略Ｔ字形状の部材２７は、入力パッド１６の任意の位置を押圧操作して操作決定スイッチ３４をオンする場合は、入力パッド１６の支点として作用するものである。
【００３０】
プリント配線基板３０上には、光センサユニットが搭載されている。この光センサユニットは、複数のＬＥＤ３６とフォトトランジスタ３８とが交互に配置され、並列に光軸が形成されるようにＬＥＤ３６とフォトトランジスタ３８が対向するように配列されている。なお、ＬＥＤ３６及びフォトトランジスタ３８はプリント配線基板３０に接続されている。また、ＬＥＤ３６及びフォトトランジスタ３８は、それぞれ隣接するＬＥＤ３６又はフォトトランジスタ３８とを遮光する遮光部材４０で覆われて構成されており、対向配列されたＬＥＤ３６とフォトトランジスタ３８に必要とされる光以外をこの遮光部材４０で遮光するようになっている。
【００３１】
また、プリント配線基板３０上には複数の操作用スイッチ４２が搭載されており、上述した各種のモードを選択する選択ボタン１８Ａ〜１８Ｆに対応する操作に応じて対応する操作用スイッチ４２がオンするように配置されている。
【００３２】
図５は、ＬＥＤ３６及びフォトトランジスタ３８の配列状態を示している。なお、図５では、ＬＥＤ３６を「投」で示し、フォトトランジスタ３８を「受」で示す。図５において、図示縦方向項軸（以下、Ｙラインと称す）として１５本が設定されていると共に、図示横方向光軸（以下、Ｘラインと称す）として１１本が設定されている。
【００３３】
上述したように、ＸラインとＹラインとのそれぞれにおいてＬＥＤ３６とフォトトランジスタ３８とは交互に配置されている。また、ＬＥＤ３６及びフォトトランジスタ３８は隣接するＬＥＤ３６及びフォトトランジスタ３８に対して、光軸方向にずれて配置されており、これにより、Ｘライン及びＹラインの光軸ピッチを低寸法化することができる。
【００３４】
図６は、ディスプレイシステム１０の電気的構成を示すブロック図である。ディスプレイシステムは、タッチトレーサ１４に配置されたＬＥＤ３６、フォトトランジスタ３８、ジョイスティックスイッチ３４、及び操作用スイッチ４２がタッチトレーサコントローラ４４に接続されており、更に、タッチトレーサコントローラ４４には、エアコン、オーディオ、ナビゲーションシステム等の付帯装備を制御する制御部４６及びディスプレイ１２が接続されている。また、ディスプレイ１２には、制御部４６からの信号が入力されるように接続されている。
【００３５】
タッチトレーサコントローラ４４は、ＣＰＵ４８、ＲＯＭ５０及びＲＡＭ５２等の周辺装置を含むマイクロコンピュータで構成されており、ＬＥＤ３６及びフォトトランジスタ３８から入力される信号に基づいて、入力パッド１６の操作位置座標を算出する。更に、ジョイスティックスイッチ３４より入力されるジョイスティック２０の操作方向に応じて出力される操作信号に基づいて、操作位置座標（なお、操作位置座標にはディスプレイ１２に表示された画面のスクロールの場合のスクロール方向を含む）を算出する。
【００３６】
なお、タッチトレーサ１４の入力パッド１６において指でタッチした位置座標は、上述のＸライン、Ｙラインそれぞれの遮光されたラインの中心位置座標を算出して、この算出された中心位置座標を入力パッド１６上のタッチ位置としている。
【００３７】
また、タッチトレーサコントローラ４４は、上述の算出された指でタッチした位置座標及びジョイスティック２０で操作した場合に算出される位置座標をディスプレイ１２の表示に対応した位置座標に変換してディスプレイ１２へ出力する。ディスプレイ１２は、タッチトレーサコントローラ４４から出力された位置座標を基に指でタッチしている画面上の位置、又はジョイスティックで操作している画面上の位置を画面に表示する。この画面上の位置表示は、選択項目（画面に表示された表示スイッチ）が色反転することによって表示されるようになっている。
【００３８】
ここで、入力パッド１６で選択項目が決定された状態又はジョイスティック２０の操作により選択項目が決定された状態で入力パッド１６又はジョイスティック２０が押圧操作されてジョイスティックスイッチ３４が押圧されるとタッチトレーサコントローラ４４にジョイスティックスイッチ３４から信号が出力される。タッチトレーサコントローラ４４は、ディスプレイ１２の選択された項目（画面スクロールの場合は画面スクロール）を表示するための信号を制御部４６へ出力する。
【００３９】
制御部４６では、選択された項目に従った画面に切替えるための情報をディスプレイ１２に出力することによってディスプレイ１２に表示された画面が選択された項目の画面へと切り替わる。また、タッチトレーサ１４の操作用スイッチ４２が押圧操作されると押圧操作されたモードを選択する選択ボタン１８に対応する画面がディスプレイ１２画面上に表示されるように制御部４６によって制御される。
【００４０】
続いて、上述のように構成されたディスプレイシステム１０の作用について説明する。
【００４１】
なお、本実施の形態では、イグニッションスイッチがオンされることにより電源が投入された状態では、図６に示すようなナビゲーションシステムが初期機能として動作するようになっていると共に、タッチトレーサ１４に配設された光センサユニットの電源がオンとなり検出スタンバイ状態となるものとする。
【００４２】
はじめに、図７に示すナビゲーションシステムの地図画面７０に表示された表示スイッチ７０ａを入力パッド１６をタッチ操作することにより選択する場合について説明する。
【００４３】
タッチトレーサ１４の入力パッド１６上をタッチ操作すると、上述の光センサユニットによってタッチ操作位置がスキャンされる。タッチ操作位置のスキャンは、Ｘライン及びＹラインそれぞれ行われ、タッチ操作により遮光されているラインが検出される。そして、遮光されているラインの光センサユニットの検出結果に基づいて、ＣＰＵ４８によって指でタッチした位置座標が算出される。算出された位置座標は、更にＣＰＵ４８によって、ディスプレイ１２の表示に対応した位置座標に変換されてディスプレイ１２へ出力される。ディスプレイ１２では、タッチトレーサコントローラ４４から出力された位置座標を基に指でタッチしている地図画面７０上の位置が画面に表示される。この時画面上の位置表示は、表示スイッチが色反転されることによって表示される。
【００４４】
そして、入力パッド１６毎押圧操作が行われると、ジョイスティック２０も入力パッド１６により押圧される。従って、ジョイスティックスイッチ３４が押圧されて、操作決定を表す信号がタッチトレーサコントローラ４４に出力されてタッチトレーサコントローラ４４によりディスプレイ１２の選択された表示スイッチ７０ａに対応する項目を表示するための信号が制御部４６へ出力され、制御部４６によって選択された表示スイッチ７０ａに対応する項目に従った画面に切換えるための情報がディスプレイ１２へ出力される。これによって、ディスプレイ１２に表示スイッチ７０ａに対応する項目が表示される。
【００４５】
このように、本実施の形態に係るタッチトレーサ１４では、タッチ操作を決定する際に、ジョイスティック２０が入力パッド１６の押圧操作により押圧されてジョイスティックスイッチ３４が押圧されるように構成されているので、タッチ操作位置を決定するためのスイッチを専用に設ける必要がない。すなわち、タッチトレーサ１４を軽量化且つ小型化することができる。
【００４６】
次に、タッチトレーサ１４に設けられたジョイスティック２０を操作することにより、上述の地図画面７０に表示された表示スイッチ７０ａの選択を行う場合について説明する。
【００４７】
タッチトレーサ１４に設けられたジョイスティック２０をディスプレイ１２に表示された表示スイッチ７０ａの方向に倒すことによって、地図画面に表示された表示スイッチ７０ａの選択操作や画面スクロールを行うと、操作方向に応じた操作信号がジョイスティックスイッチ３４よりタッチトレーサコントローラ４４に出力される。そして、ジョイスティックスイッチ３４より出力される操作信号に基づいて、ＣＰＵ４８によってジョイスティック２０の操作に応じた操作位置座標（対応する表示スイッチ７０ａの位置）が算出される。算出された操作位置座標は、更にＣＰＵ４８によって、ディスプレイ１２の表示に対応した操作位置座標に変換されてディスプレイ１２へ出力される。ディスプレイ１２では、タッチトレーサコントローラ４４から出力された操作位置座標を基にジョイスティック２０の操作により選択された地図画面７０上の位置が画面に表示される。この時画面上の位置表示は、表示スイッチ７０ａが色反転されることによって表示される。
【００４８】
そして、ジョイスティック２０が押圧操作されると、ジョイスティックスイッチ３４が押圧されて、操作決定を表す信号がタッチトレーサコントローラ４４に出力されてタッチトレーサコントローラ４４によりディスプレイ１２の選択された表示スイッチ７０ａに対応する項目を表示するための信号が制御部４６へ出力され、制御部４６によって選択された表示スイッチ７０ａに対応する項目に従った画面に切換えるための情報がディスプレイ１２へ出力される。これによって、ディスプレイ１２に表示スイッチ７０ａに対応する項目が表示される。
【００４９】
また、ジョイスティック２０を操作して、ディスプレイ１２に表示される画面のスクロールを行う場合には、所望とするスクロール方向にジョイスティック２０を倒することにより、操作信号がタッチトレーサコントローラ４４に出力され、タッチトレーサコントローラ４４から画面スクロールの指示を表す信号が制御部４６へ出力され、制御部４６によって画面スクロール方向に従った画面スクロールするための情報がディスプレイ１２へ出力される。これによって、ディスプレイ１２に表示された画面のスクロールが行われる。
【００５０】
このように、本実施の形態に係るタッチトレーサ１４では、ジョイスティック２０による操作入力と、入力パッド１６によりタッチ操作入力を行うことができるので、操作内容に応じて自由に使い分けができる。例えば、図８に示すように、入力パッド１６と同様にディスプレイ１２に表示される画面中央にジョイスティック２０で操作する機能を表示し、その周りに入力パッド１６で選択する表示スイッチ７０ａを表示した場合には、画面スクロール操作などは、中央のジョイスティック２０で操作し、画面に表示されている表示スイッチ７０ａの選択操作をタッチ操作にて選択することができる。
【００５１】
従って、タッチ操作入力とジョイスティック操作入力の双方の欠点を補うことができる。さらに、タッチ操作による操作決定と、ジョイスティック２０による操作決定を１つのジョイスティックスイッチ３４により行うことができるので、簡略した構造のタッチトレーサを提供することができる。
【００５２】
続いて、上記実施の形態に係るタッチトレーサ１４の第１変形例について説明する。なお、上記の実施の形態と同一構成については、同一符号を付して説明を省略する。
【００５３】
上記の実施の形態では、ジョイスティック２０の操作方向に応じて操作信号がジョイスティックスイッチ３４より出力される構成としたが、ジョイスティック２０の操作方向の検出を入力パッド１６の周囲に設けられたタッチ操作位置検出用のＬＥＤ３６及びフォトトランジスタ３８からなる光センサユニットによって行うようにしてもよく、第１変形例のタッチトレーサは、図９に示すように、上記の実施の形態と同様に、入力パッド１６の中央部にジョイスティック２０が設けられており、タッチ操作及びジョイスティック２０による操作入力が可能なように構成されている。
【００５４】
入力パッド１６についても上記の実施の形態と同様に、プリント配線基板２８上に配設された圧縮コイルバネ３２によって付勢されている。
【００５５】
また、第１変形例のタッチトレーサでは、図９に示すように、ＬＥＤ３６及びフォトトランジスタ３８が上記実施の形態と同様に並列に光軸が形成されるように対向するように配列されている。ここで、変形例のタッチトレーサでは、ジョイスティック２０の操作方向の検出を光センサユニットで検出するために、ジョイスティック２０付近、すなわち、第１変形例では入力パッド１６の中央部に相当する位置に光センサユニットが集中して設けられている。
【００５６】
このように構成することによって、ジョイスティック２０の位置又はジョイスティック２０を操作する指位置を検出することが可能となる。従って、入力パッド１６の中央部に相当する位置に集中して設けられた光センサユニットによってジョイスティック２０の操作方向を検出することが可能となり、上記の実施の形態と同様の作用効果を得ることができる。
【００５７】
また、第１変形例では、ジョイスティック２０の操作方向の検出を行うと共に操作決定を行うジョイスティックスイッチ３４の代わりに、操作決定のみを行う操作スイッチを用いることが可能となる。従って、操作スイッチは、ジョイスティックスイッチ３４のように操作方向の検出及び操作決定の検出の２つの機能を必要としないので、上記実施例に対してさらに部品点数を削減することができると共に、構成を簡略化することができる。
【００５８】
次に、上記実施の形態の第２変形例について説明する。なお、上記実施の形態のと同一構成については、同一符号を付して説明を省略する。
【００５９】
第２変形例のタッチトレーサは、図１０に示すように、入力パッド１６上に感圧式センサ５４が設けられており、感圧式センサ５４によってタッチ操作位置の検出を行う。
【００６０】
また、第２変形例においても入力パッド１６の中央部にジョイスティック２０が設けられている。さらに、第２変形例ではジョイスティック２０の頭部が、略平面状（例えば、指の形状に合わせた略平面）で且つジョイスティック２０の操作によって入力パッドを押圧する凸形状２０Ａとされている。
【００６１】
すなわち、第２変形例では、図１１に示すように、ジョイスティック２０を操作することにより、ジョイスティック２０の凸形状２０Ａにより入力パッド１６上に設けられた感圧式センサ５４を押圧するので、感圧式センサ５４によってジョイスティック２０の操作位置（方向）を検出することができる。従って、上記実施の形態及び第１変形例と同様の作用効果を得ることができる。
【００６２】
なお、上記の実施の形態では、ジョイスティック２０の上方に入力パッド１６を設け、入力パッド１６の押圧操作によりジョイスティック２０も同時に押圧操作してジョイスティックスイッチ３４を押圧する構成としたが、逆に、入力パッド１６の上方にジョイスティック２０を設け、ジョイスティック２０の押圧操作により入力パッド１６も同時に押圧してジョイスティックスイッチ３４を押圧する構成としても、同様に構造を簡略化することが可能となる。
【００６３】
また、上記の実施の形態では、タッチ操作位置の検出を行うために光センサユニットを設ける構成としたが、これに限るものではなく、静電容量式や感圧方式のセンサを用いることも可能である。
【００６４】
【発明の効果】
以上説明したように本発明によれば、タッチ操作入力とジョイスティック操作入力の双方の欠点を補い、且つ簡略した構造の操作入力装置を提供することができる、という効果がある。
【図面の簡単な説明】
【図１】本発明の実施の形態に係るディスプレイシステムの概略を示す図である。
【図２】タッチトレーサの正面図である。
【図３】タッチトレーサの一部を破断して示す正面図である。
【図４】タッチトレーサの一部を破断して示す側面図である。
【図５】ＬＥＤとフォトトランジスタの配置関係を示す図である。
【図６】本発明の実施の形態に係るディスプレイシステムの電気的構成を示すブロック図である。
【図７】ディスプレイに表示された地図画面の一例を示す図である。
【図８】ディスプレイに表示される画面に一例を示す図である。
【図９】本発明の実施の形態に係るディスプレイシステムのタッチトレーサの第１変形例における光センサユニットの配置例を示す図である。
【図１０】本発明の実施の形態に係るディスプレイシステムのタッチトレーサの第２変形例を示す図である。
【図１１】本発明の実施の形態に係るディスプレイシステムのタッチトレーサの第２変形例において、ジョイスティックの操作方向の検出を説明するための図である。
【符号の説明】
１０    ディスプレイシステム
１２    ディスプレイ
１４    タッチトレーサ
１６    入力パッド
２０    ジョイスティック
２０Ａ  凸形状
３４    ジョイスティックスイッチ
３６    ＬＥＤ
３８    フォトトランジスタ
５４    感圧式センサ
【図１】
0004303402.tif 000002
【図２】
0004303402.tif 000003
【図３】
0004303402.tif 000004
【図４】
0004303402.tif 000005
【図５】
0004303402.tif 000006
【図６】
0004303402.tif 000007
【図７】
0004303402.tif 000008
【図８】
0004303402.tif 000009
【図９】
0004303402.tif 000010
【図１０】
0004303402.tif 000011
【図１１】
0004303402.tif 000012